(57)【特許請求の範囲】
【請求項１】
カード状体を所定のカード状体挿入限度位置まで挿入可能なハウジングと、前記カード状体と共に前記ハウジング内を移動可能なスライダーと、該スライダーを押し出し方向に付勢する押出しバネと、一端が前記ハウジング又はスライダーの何れか一方に回動自在に支持され、他端に前記スライダー又はハウジングの何れか他方に配置されたハートカムの周りに形成されたループ状のピンガイド溝に摺動可能に挿入される規制ピン部を有するロックピンとを備え、
前記スライダーの移動に連動して前記規制ピン部が前記ピンガイド溝内を循環し、該規制ピン部がハートカムと係合する所定のロック位置に前記スライダーが移動した際に該スライダーの押し出し方向の移動が規制され、前記規制ピン部がハートカムより離脱するロック解除位置に前記スライダーが移動した際に該スライダーの押し出し方向の移動規制が解除されるようにしてなるカードコネクタにおいて、
前記ロック解除位置を前記スライダーが前記カード状体と共に移動できる押し込み方向の限度である連動限度位置より押し込み方向奥側に設けるとともに、前記ハウジングに、前記スライダーを押し込み方向に移動させるためのキー部材を着脱可能に備え、
前記カード状体の初めの押し込み動作に伴って前記スライダーを前記ロック位置に移動させ、
前記キー部材によって前記スライダーを前記カード状体より離脱させ、前記ロック解除位置まで移動させるようにしたことを特徴としてなるカードコネクタ。
【請求項２】
前記ピンガイド溝は、前記ハートカムの両側部に配置された往路部及び復路部と、前記往路部の終端側に配置され、前記連動限度位置に至るスライダーの移動に連動した前記規制ピン部の移動を許容する押し込み動作許容部と、該押し込み動作許容部より前記規制ピン部を前記ハートカムと係合する位置に誘導するロック用誘導路部と、前記規制ピン部を前記ハートカムと係合する位置から前記復路部までガイドする解除用誘導路部と、前記解除用誘導路部の終端に形成され、前記復路部側から前記解除用誘導路部側への前記規制ピン部の移動を規制する解除用戻り防止段部とを備え、
該解除用戻り防止段部を前記連動限度位置における前記規制ピン部の位置よりスライダー移動方向にずらした位置に形成してなる請求項１に記載のカードコネクタ。
【請求項３】
前記カード状体は、前記カード状体押し込み限度位置で前記ハウジング又は電子機器筐体に当て止めされる当て止め部を備え、前記カード状体押し込み限度位置より押し込み側への移動が規制されるようにしてなる請求項１又は２に記載のカードコネクタ。
【請求項４】
前記ハウジングは、操作側スイッチコンタクト及び被操作側スイッチコンタクトからなる取出し操作検知スイッチを備え、前記ロック解除位置で前記操作側スイッチコンタクトが前記スライダーと接触することによって前記操作側スイッチコンタクトが前記被操作側スイッチコンタクトと接触又は離反するようにした請求項１、２又は３に記載のカードコネクタ。
【発明の詳細な説明】
【技術分野】
【０００１】
本発明は、ＩＣカードやフラッシュメモリーカード等のカードを基板に接続させるためのカードコネクタに関する。
【背景技術】
【０００２】
従来、この種のカードコネクタでは、同一方向（押し込み方向）の操作の繰り返しによってカードやカードトレイ等のカード状体の挿入・抜き出しが可能な所謂プッシュイン・プッシュアウト機構を備えたものが広く知られている（例えば、特許文献１）。
【０００３】
このようなプッシュイン・プッシュアウト機構を備えたカードコネクタは、例えば、カード又はカードトレイ等のカード状体が挿入されるハウジングと、カード状体と連動してハウジング内を移動するスライダーと、スライダーを押し出し方向に付勢する押出しバネと、一端をスライダーに回動可能に支持させたロックピンとを備え、このロックピンの他端に形成された規制ピン部をハウジングに設けられたループ状のピンガイド溝に挿入し、カード状体の押し込み動作に伴うスライダーの移動に連動して規制ピン部がピンガイド溝内を循環するようになっている。
【０００４】
そして、最初のカード状体の押し込み動作によるスライダーの移動に連動して規制ピン部がピンガイド溝に誘導されつつハートカムと係合する位置に移動し、それによりロックピンを介してスライダーの押し出し方向移動が規制され、再度のカード状体の押し込み動作に伴うスライダーの移動に連動してピンガイド溝に誘導されつつ規制ピン部がハートカムより離脱し、スライダーの押し出し方向の移動規制が解除されるようになっている。
【先行技術文献】
【特許文献】
【０００５】
【特許文献１】特開２００８−９１２９８号公報
【発明の概要】
【発明が解決しようとする課題】
【０００６】
しかしながら、上述の如き従来の技術では、スライダーがカード状体の押し込み動作に連動して移動し、それに伴い規制ピン部がピンガイド溝内を循環し、スライダーの移動規制及びその解除がされる構造であるため、カード状体を挿入した状態で電子機器の落下や不用意な接触等によりカード状体にカード押し込み方向の荷重が作用した場合、それによってカード状体が移動することに伴うスライダーの移動に連動してピンガイド溝に誘導されつつ規制ピン部がハートカムより離脱し、スライダーの押し出し方向の移動規制が解除され、不意にカード状体が排出されてしまう虞があった。
【０００７】
本発明は、このような従来の問題に鑑み、落下衝撃等によるカードやカードトレイ等のカード状体の意図しない排出を防止することができるカードコネクタの提供を目的としてなされたものである。
【課題を解決するための手段】
【０００８】
上述の如き従来の問題を解決し、所期の目的を達成するための請求項1に記載の発明の特徴は、カード状体を所定のカード状体挿入限度位置まで挿入可能なハウジングと、前記カード状体と共に前記ハウジング内を移動可能なスライダーと、該スライダーを押し出し方向に付勢する押出しバネと、一端が前記ハウジング又はスライダーの何れか一方に回動自在に支持され、他端に前記スライダー又はハウジングの何れか他方に配置されたハートカムの周りに形成されたループ状のピンガイド溝に摺動可能に挿入される規制ピン部を有するロックピンとを備え、前記スライダーの移動に連動して前記規制ピン部が前記ピンガイド溝内を循環し、該規制ピン部がハートカムと係合する所定のロック位置に前記スライダーが移動した際に該スライダーの押し出し方向の移動が規制され、前記規制ピン部がハートカムより離脱するロック解除位置に前記スライダーが移動した際に該スライダーの押し出し方向の移動規制が解除されるようにしてなるカードコネクタにおいて、前記ロック解除位置を前記スライダーが前記カード状体と共に移動できる押し込み方向の限度である連動限度位置より押し込み方向奥側に設けるとともに、前記ハウジングに、前記スライダーを押し込み方向に移動させるためのキー部材を着脱可能に備え、前記カード状体の初めの押し込み動作に伴って前記スライダーを前記ロック位置に移動させ、前記キー部材によって前記スライダーを前記カード状体より離脱させ、前記ロック解除位置まで移動させるようにしたことにある。
【０００９】
請求項２に記載の発明の特徴は、請求項１の構成に加え、前記ピンガイド溝は、前記ハートカムの両側部に配置された往路部及び復路部と、前記往路部の終端側に配置され、前記連動限度位置に至るスライダーの移動に連動した前記規制ピン部の移動を許容する押し込み動作許容部と、該押し込み動作許容部より前記規制ピン部を前記ハートカムと係合する位置に誘導するロック用誘導路部と、前記規制ピン部を前記ハートカムと係合する位置から前記復路部までガイドする解除用誘導路部と、前記解除用誘導路部の終端に形成され、前記復路部側から前記解除用誘導路部側への前記規制ピン部の移動を規制する解除用戻り防止段部とを備え、該解除用戻り防止段部を前記連動限度位置における前記規制ピン部の位置よりスライダー移動方向にずらした位置に形成してなることにある。
【００１０】
請求項３に記載の発明の特徴は、請求項１又は２の構成に加え、前記カード状体は、前記カード状体押し込み限度位置で前記ハウジング又は電子機器筐体に当て止めされる当て止め部を備え、前記カード状体押し込み限度位置より押し込み側への移動が規制されるようにしてなることにある。
【００１１】
請求項４に記載の発明の特徴は、請求項１、２又は３の構成に加え、前記ハウジングは、操作側スイッチコンタクト及び被操作側スイッチコンタクトからなる取出し操作検知スイッチを備え、前記ロック解除位置で前記操作側スイッチコンタクトが前記スライダーと接触することによって前記操作側スイッチコンタクトが前記被操作側スイッチコンタクトと接触又は離反するようにしたことにある。
【発明の効果】
【００１２】
本発明に係るカードコネクタは、上述したように、カード状体を所定のカード状体挿入限度位置まで挿入可能なハウジングと、前記カード状体と共に前記ハウジング内を移動可能なスライダーと、該スライダーを押し出し方向に付勢する押出しバネと、一端が前記ハウジング又はスライダーの何れか一方に回動自在に支持され、他端に前記スライダー又はハウジングの何れか他方に配置されたハートカムの周りに形成されたループ状のピンガイド溝に摺動可能に挿入される規制ピン部を有するロックピンとを備え、前記スライダーの移動に連動して前記規制ピン部が前記ピンガイド溝内を循環し、該規制ピン部がハートカムと係合する所定のロック位置に前記スライダーが移動した際に該スライダーの押し出し方向の移動が規制され、前記規制ピン部がハートカムより離脱するロック解除位置に前記スライダーが移動した際に該スライダーの押し出し方向の移動規制が解除されるようにしてなるカードコネクタにおいて、前記ロック解除位置を前記スライダーが前記カード状体と共に移動できる押し込み方向の限度である連動限度位置より押し込み方向奥側に設けるとともに、前記ハウジングに、前記スライダーを押し込み方向に移動させるためのキー部材を着脱可能に備え、前記カード状体の初めの押し込み動作に伴って前記スライダーを前記ロック位置に移動させ、前記キー部材によって前記スライダーを前記カード状体より離脱させ、前記ロック解除位置まで移動させるようにしたことにより、キー部材を使用した場合にのみスライダーの押し出し方向の移動規制を解除することができ、電子機器の落下や不用意な接触等によりカード状体にカード押し込み方向の荷重が作用した場合であっても不意なカード状体の排出を防止することができる。
【００１３】
また、本発明において、前記ピンガイド溝は、前記ハートカムの両側部に配置された往路部及び復路部と、前記往路部の終端側に配置され、前記連動限度位置に至るスライダーの移動に連動した前記規制ピン部の移動を許容する押し込み動作許容部と、該押し込み動作許容部より前記規制ピン部を前記ハートカムと係合する位置に誘導するロック用誘導路部と、前記規制ピン部を前記ハートカムと係合する位置から前記復路部までガイドする解除用誘導路部と、前記解除用誘導路部の終端に形成され、前記復路部側から前記解除用誘導路部側への前記規制ピン部の移動を規制する解除用戻り防止段部とを備え、該解除用戻り防止段部を前記連動限度位置における前記規制ピン部の位置よりスライダー移動方向にずらした位置に形成したことにより、ロック解除位置をスライダーの連動限度位置より押し込み方向奥側に設けることができる。
【００１４】
更に、本発明において、前記カード状体は、前記カード状体押し込み限度位置で前記ハウジング又は電子機器筐体に当て止めされる当て止め部を備え、前記カード状体押し込み限度位置より押し込み側への移動が規制されるようにしたことにより、カード状体の押し込み量を好適に制御することができる。
【００１５】
更にまた、本発明において、前記ハウジングは、操作側スイッチコンタクト及び被操作側スイッチコンタクトからなる取出し操作検知スイッチを備え、前記ロック解除位置で前記操作側スイッチコンタクトが前記スライダーと接触することによって前記操作側スイッチコンタクトが前記被操作側スイッチコンタクトと接触又は離反するようにしたことにより、カード状体の排出動作を早い段階で検出することができる。
【図面の簡単な説明】
【００１６】
【図１】本発明に係るカードコネクタの一例を示す斜視図である。
【図２】同上のカードコネクタのシールドカバーを取り外した状態の斜視図である。
【図３】同上の分解斜視図である。
【図４】図１中のハウジングを示すシールドカバーを取り除いた状態の平面図である。
【図５】同上のスライダー移動部を示すスライダー本体部を除いた状態の部分拡大平面図である。
【図６】図２中のスライダーを示す拡大斜視図であって、（ａ）は上側から見た図、（ｂ）は下側から見た図である。
【図７】（ａ）は図５中のハートカム部を示す部分拡大平面図、（ｂ）は同ピンガイド溝底部の高低図である。
【図８】図１中のカードトレイを示す斜視図であって、（ａ）は上側から見た図、（ｂ）は下側から見た図である。
【図９】（ａ）〜（ｄ）はカード状体の挿入動作時の状態を示すシールドカバーを外した状態の平面図である。
【図１０】（ｄ）〜（ｇ）はカード状体の排出動作時の状態を示すシールドカバーを外した状態の平面図である。
【発明を実施するための形態】
【００１７】
次に、本発明に係るカードコネクタの実施の態様を図１〜図１０に示した実施例に基づいて説明する。尚、図中符号１はカードコネクタ、符号ＡはＩＣカード等のカードである。
【００１８】
このカードコネクタ１は、カードＡを収容するカードトレイからなるカード状体２と、カード状体２を挿入可能なカード状体挿入部３を有するハウジング４と、カード状体挿入部３の内底面部より突出した複数のコンタクト５，５...とを備え、カードＡを収容したカード状体２をカード状体挿入部３に挿入することにより、カードＡの片面に形成された各信号伝達端子ａ１，ａ１...が対応するコンタクト５，５...と接触し、コンタクト５，５...を介してカードＡとハウジング４が実装されたプリント配線基板とを電気的に接続させるようになっている。
【００１９】
ハウジング４は、図１〜図４に示すように、絶縁性樹脂材からなる矩形平板状のモールド体１０と、モールド体１０の両側部に一体成形により組み込まれた金属製板材からなる側壁板１１及び側溝部材１２と、導電性金属板材からなるシールドカバー１３とを備え、モールド体１０の上面側部にシールドカバー１３を組み合せることにより前面に開口したカード状体挿入部３を有する箱状に形成されている。
【００２０】
側溝部材１２は、金属製板材を折り曲げ加工することにより、底板部１２ａの両側縁より側板部１２ｂ、１２ｃを立ち上げてなる断面コ字状に形成され、モールド体１０上の内側の側板部１２ｂとモールド体１０の側縁より立ち上げた配置の側壁板１１との間の部分にカード状体２が挿入される凹状のカード状体挿入部３が形成されるとともに、カード状体挿入部３の側部にカード状体２の挿抜方向に向けた凹溝状のスライダー移動部１４が形成され、このスライダー移動部１４に沿ってハウジング４内を移動可能にスライダー２０が備えられている。
【００２１】
尚、図中符号１２ｄはストッパー片であって、このストッパー片１２ｄは、側壁板１２ｂの手前側縁よりスライダー移動部１４側に鉛直に折り曲げた形状に形成され、スライダー２０の手前側端が当て止めされてスライダー２０がハウジング４より抜け出すのを防止している。
【００２２】
スライダー２０は、図５に示すように、金属製板材を打ち抜き・折り曲げ加工することにより形成され、移動方向に長い矩形平板状のスライダー本体２１と、スライダー本体２１の側縁より突出した連動係合部２２と、スライダー本体２１の下面側に突出した凹溝状のロックピン連結部２３とを一体に備えている。
【００２３】
また、スライダー本体２１の手前側縁には、鉛直下向きに折り曲げた形状の被押し込み片２４が備えられ、この被押し込み片２４のスライダー移動方向奥側面にコイルスプリングからなる押出しバネ２５の一端が当接され、ハウジング４に反力を取ってスライダー２０を押し出し方向に付勢するようになっている。
【００２４】
また、被押し込み片２４のスライダー移動方向手前側面は、後述するキー部材８０の先端が当接し、キー部材８０による押し込み方向の力をスライダー２０に伝達するようになっている。
【００２５】
連動係合部２２は、スライダー本体２１の側縁よりカード状体挿入部３側に向けて突出した形状に形成され、その押し込み奥側縁より連動用係合片２６が鉛直下向きに折り曲げた形状に一体に形成され、この連動用係合片２６がカード状体２の奥側縁部に当接するようになっている。
【００２６】
ロックピン連結部２３は、スライダー本体２１の側縁より鉛直下向きに折り曲げた形状の外側板と、外側板の下縁より水平方向に折り曲げた底板と、底板の内側縁より鉛直上向きに折り曲げた形状の内側板とをもって凹溝状に形成され、底板の前端部に板厚方向に貫通した挿通孔２７が形成され、この挿通孔２７にロックピン２８の回動軸部２９が挿入されることにより、ロックピン２８がスライダー２０に回動可能に支持されている。
【００２７】
また、ロックピン連結部２３の底板を貫通した回動軸部２９の先端は、側溝部材１２の底板部１２ａに形成されたスライダー移動方向に向けた長孔状のガイド孔３０に挿入され、スライダー２０の移動がガイドされるようになっている。
【００２８】
一方、ロックピン連結部２３の内側板部には、カード状体挿入部３側に突出した突部３１ａを有する板ばね状のハーフロック片３１が一体に形成され、突部３１ａがカード状体２の側縁に形成されたハーフロック用凹部３２と着脱可能に係合するようになっている。
【００２９】
ロックピン２８は、金属製棒材をもって形成され、一端に下向きに折り曲げた形状の回動軸部２９を備え、この回動軸部２９がロックピン連結部２３の挿通孔２７に挿入されることによりスライダー２０に回動可能に支持され、ロックピン２８の回動中心軸を構成している。
【００３０】
また、ロックピン２８の他端部には、下向きに折り曲げた形状の規制ピン部３３が形成されており、この規制ピン部３３がハウジング４（モールド体１０）に形成されたハートカム部４０を構成するピンガイド溝４１内に挿入されている。
【００３１】
尚、ロックピン２８は、スライダー本体２１の下側に配置され、スライダー本体２１に形成された押し下げバネ３４によってピンガイド溝４１の底部側に付勢され、規制ピン部３３がピンガイド溝４１の底部に常に摺接し、浮き上がらないようにしている。
【００３２】
ハートカム部４０は、図７に示すように、モールド体１０のスライダー移動部１４の押し込み方向奥側部にモールド体１０の内底面より突出した形状に形成され、ハートカム４２と、ハートカム４２の周りに形成されたループ状のピンガイド溝４１とを有している。
【００３３】
尚、ハートカム部４０の押し込み方向手前側端面部には、手前側に向けて突設されたバネ固定突部４３が形成され、このバネ固定突部４３に押出しバネ２５の他端が嵌め込むことにより固定されるようになっている。
【００３４】
ハートカム４２は、押し込み方向奥側に規制ピン部３３が係合する係合凹部４４を有するハート形状に形成され、係合凹部４４の両側にカード状体押し込み方向に張り出した形状に張り出し部４５ａ，４５ｂを有している。
【００３５】
復路部側の張り出し部４５ｂは、往路部側の張り出し部４５ａよりも押し込み側へ張り出した形状に形成され、解除用誘導路部５４の一方の内側部を構成するようになっている。
【００３６】
ピンガイド溝４１は、ハートカム４２の形状に合わせてその周りに形成され、ハートカム４２の両側部にそれぞれ配置された往路部５０及び復路部５１と、往路部５０の終端側に配置された押し込み動作許容部５２と、押し込み動作許容部５２より規制ピン部３３をハートカム４２と係合する位置Ｐ３、即ち係合凹部４４に誘導するロック用誘導路部５３と、規制ピン部３３をハートカム４２と係合する位置Ｐ３から復路部５１までガイドする解除用誘導路部５４とを備え、このピンガイド溝４１内をスライダー２０の移動に連動して規制ピン部３３が往路部５０、押し込み動作許容部５２、ロック用誘導路部５３、係合凹部４４、解除用誘導路部５４、復路部５１の順に循環するようになっている。尚、図中符号５５は、往路部５０の始端と復路部５１の終端を併用する併用路部である。
【００３７】
また、ピンガイド溝４１には、規制ピン部３３が循環中逆戻りしないように、往路部５０、ロック用誘導路部５３、解除用誘導路部５４及び復路部５１の循環方向終端底部の各部繋ぎ目部分にそれぞれ戻り防止段部５６，５７，５８，５９が形成され、押し込み動作許容部５２から往路部５０へ、係合凹部４４からロック用誘導路部５３へ、復路部５１から解除用誘導路部５４へ、併用路部５５から復路部５１への規制ピン部３３の移動がそれぞれ規制されるようになっている。
【００３８】
往路部５０は、スライダー移動方向に向けた直線状に形成され、終端底部に押し込み動作許容部５２側が高くなるように傾斜した戻し傾斜部６０が形成され、規制ピン部３３が戻り防止段部５６より落ち込み押し込み動作許容部５２に到らぬ限り、押出しバネ２５の付勢力によりスライダー２０が押し出し方向に押し戻されるようになっている。
【００３９】
押し込み動作許容部５２は、往路部５０と連続配置に押し込み方向に向けた直線状に形成され、スライダー２０が連動限度位置Ｓ２に至るまでのスライダー２０の移動に連動した規制ピン部３３の移動を許容するようになっている。尚、連動限度位置Ｓ２とは、スライダー２０がカード状体２と共に移動可能なスライダー２０の押し込み方向の限度位置である。
【００４０】
ロック用誘導路部５３は、押し込み動作許容部５２の手前側部から係合凹部４４側に向けた斜め形状に形成され、その終端底部に、係合凹部４４側が順次低くなるように形成された階段状の誘導段部６１が形成され、規制ピン部３３が誘導段部６１に誘導されて戻り防止段部５７より係合凹部４４内に落とし込まれるようになっている。
【００４１】
解除用誘導路部５４は、係合凹部４４から押し込み方向に向けた直線状に形成され、終端底部に終端側が高くなるように傾斜した戻し傾斜部６２が形成され、規制ピン部３３が戻り防止段部５８より落ち込んで復路部５１に到らない限り、押出しバネ２５の付勢力によりスライダー２０が押し出し方向に押し戻され、ハートカム４２との係合状態が解除できないようになっている。
【００４２】
復路部５１から解除用誘導路部５４への移動を規制する戻り防止段部５８（以下、解除用戻り防止段部５８という）は、連動限度位置Ｓ２における規制ピン部３３の位置Ｐ４よりスライダー移動方向奥側にずらした位置に形成され、スライダー２０がカード状体２より離脱して連動限度位置Ｓ２より押し込み方向奥側のロック解除位置Ｓ４まで移動した際にのみ規制ピン部３３が復路部５１側の位置Ｐ５に移動するようになっている。
【００４３】
これにより、カード状体挿入動作時のスライダー２０の押し込み方向移動量に比して、カード状体取出し操作時のスライダー２０の押し込み方向移動量の方が長くなっている。
【００４４】
復路部５１は、ハートカム４２の側部形状に対応して屈曲した形状に形成され、その併用路部５５との合流部分に併用路部５５側が順次低くなるように階段状に形成された誘導段部６３が形成され、押出しバネ２５の付勢力によるスライダー２０の移動に連動して規制ピン部３３が併用路部５５へ誘導され、且つ、原点位置Ｐ１に復帰するようになっている。
【００４５】
カード状体２は、図８に示すように、平板状のトレイ本体７０と、トレイ本体７０のトレイ挿抜方向手前側に配置された前縁蓋体７１とを備え、前縁蓋体７１が金属製の接合部材７２，７２を介してトレイ本体７０のトレイ挿抜方向端部に接合されている。
【００４６】
トレイ本体７０は、絶縁性合成樹脂材をもって平板状に形成され、片面部にカードＡが収容される凹状のカード収容部７３が形成されている。
【００４７】
また、トレイ本体７０のトレイ挿抜方向奥側縁部は、モールド体１０の押し込み方向奥側に配置された当て止め突部７４に当て止めされる当て止め部７５を構成し、カード状体２をハウジング４に挿入した際に、この当て止め部７５がハウジング４の当て止め突部７４に当て止めされる位置をカード状体押し込み限度位置とし、カード状体２のカード状体押し込み限度位置より押し込み側への移動を規制するようになっている。
【００４８】
また、トレイ本体７０には、トレイ挿抜方向奥側部にスライダー２０の連動係合部２２が嵌り込む係合切欠き部７６が形成され、この係合切欠き部７６の内縁と連動係合部２２が係合するとともに、トレイ本体７０のトレイ挿抜方向奥側縁に連動用係合片２６が当接することにより、カード状体２に作用する押し込み力をスライダー２０に伝達でき、且つ、スライダー２０に作用する押出しバネ２５による付勢力をカード状体２に伝達できるようになっている。
【００４９】
従って、スライダー２０は、連動係合部２２が係合切欠き部７６に嵌合した状態でカード状体２と共に移動し、且つ、カード状体２より相対的に押し込み側へ離脱させることにより独立するようになっている。
【００５０】
尚、図中符号７７は、スイッチ接触用露出部であって、この切欠き部７７を通してカードＡの奥側縁部が露出し、そのカードＡの奥側縁部がハウジング４の奥側に配置された検知用スイッチ７８を構成する操作コンタクト７８ａと接触し、押圧することにより操作コンタクト７８ａが被操作コンタクト７８ｂと接触又は離脱し、それによってスイッチ７８のオン・オフ切換え動作がなされ、カードＡの挿入が検知できるようになっている。
【００５１】
前縁蓋体７１は、直方体状に形成され、一方の側部にカード状体２挿抜方向に貫通した差し込みガイド孔７９が形成され、この差し込みガイド孔７９を通して、ハウジング４側部、即ちスライダー移動部１４の手前側開口よりピン状のキー部材８０を挿し込めるようになっている。
【００５２】
次に、図９に基づいて、カード状体２の挿入動作について説明する。尚、図９（ａ）はカード状体２をハウジング４より引き出した状態であり、スライダー２０は押出しバネ２５に付勢されて図に示す原点位置Ｓ１にあり、それに伴い規制ピン部３３がピンガイド溝４２内の併用路部５５の手前側の原点位置Ｐ１にある。
【００５３】
そして、図９（ｂ）に示すように、カード状体２をカード状体挿入部３内の所定の位置まで挿し込むと、係合切欠き部７６内にスライダー２０の連動係合部２２が嵌り込むとともに、ハーフロック片３１の突部３１ａがハーフロック用凹部３２と係合し、カード状体２とスライダー２０とが着脱可能な状態で一体化される。その時、規制ピン部３３が往路部５０内にあって押し込み力を解除すると、スライダー２０は押出しバネ２５の付勢力により原点位置Ｓ１まで押し戻される状態にある。
【００５４】
その状態から図９（ｃ）に示すように、カード状体２を更にカード状体押し込み限度位置まで押し込むと、連動用係合片２６及び連動係合部２２を介してカード状体２に作用する押し込み力がスライダー２０に伝達され、カード状体２と共にスライダー２０が押し出しバネ２５の付勢力に抗して連動限度位置Ｓ２まで移動し、それに連動して規制ピン部３３が往路部５０の戻し傾斜部６０及び戻り防止段部５６を越えて、押し込み動作許容部５２に落ち込み、且つ、押し込み動作許容部５２内の最奥位置Ｐ２まで摺動する。
【００５５】
このようにカード状体２の最初の押し込み動作においては、規制ピン部３３が押し込み動作許容部５２内に退避してカード状体２及びスライダー２０の移動を妨げないようになっている。
【００５６】
また、カード状体２は、このカード状体押し込み限度位置より押し込み側への移動が規制されるので、その際のスライダー２０の位置がカード状体２と共に移動できる連動限度位置Ｓ２となり、カード状体２の押し込み操作によってはスライダー２０がこの連動限度位置Ｓ２より押し込み側へ移動できないようになっている。
【００５７】
次に、図９（ｃ）の状態からカード状体２に対する押し込み方向の力を除去すると、スライダー２０が押出しバネ２５により押し出し方向に付勢され、そのスライダー２０に作用する付勢力が連動用係合片２６及び連動係合部２２を介してカード状体２に伝達されてカード状体２を図９（ｄ）に示す所定の挿入位置まで押し戻すとともに、スライダー２０がロック位置Ｓ３まで押し戻される。
【００５８】
そのスライダー２０の移動に連動して規制ピン部３３が押し込み動作許容部５２よりロック用誘導路５３に移動し、誘導段部６１に誘導されて戻り防止段部５７を越えてハートカム４２と係合する位置Ｐ３、即ち係合凹部４４内に移動する。
【００５９】
これにより、図５に示すように、規制ピン部３３がハートカム４２と係合し、規制ピン部３３の押し出し方向の移動が規制されるので、ロック位置Ｓ３においてロックピン２８を介してスライダー２０の押し出し方向の移動が規制される。
【００６０】
この状態にあっても、カード状体２をカード状体押し込み限度位置まで押し込むことは可能であるが、上述したように、スライダー２０がカード状体２と共に移動できるのは連動限度位置Ｓ２までである。
【００６１】
また、この状態において規制ピン部３３は、ハートカム４２と係合する位置Ｐ３にあって、スライダー２０が押し込み方向に移動する場合、それに連動して解除用誘導路部５４内を摺動する。
【００６２】
従って、解除用戻り防止段部５８が連動限度位置Ｓ２における解除用誘導路部５４内の規制ピン部３３の位置Ｐ４よりスライダー移動方向奥側にずらした位置に形成されているため、カード状体２の再度の押し込み動作によっては、規制ピン部３３が解除用戻り防止段部５８まで到達できず、カード状体２に作用する押し込み力が解除されると押出しバネ２５の付勢力によりスライダー２０がロック位置Ｓ３まで押し戻され、規制ピン部３３もハートカム４２と係合する位置Ｐ３に押し戻される。
【００６３】
よって、電子機器の落下や不用意な接触等によりカード状体２にカード押し込み方向の荷重が作用した場合であっても、カード状体２の再度の押し込み動作によっては、スライダー２０の押し出し方向の移動規制が解除されないので不意なカード状体２の排出を防止することができる。
【００６４】
一方、このようなロック状態の解除は、図１０（ｄ）〜（ｇ）に示すように、キー部材８０を用いてスライダー２０をカード状体２より押し込み側へ離脱させ、ロック解除位置Ｓ４、即ち、規制ピン部３３を解除用戻り防止段部５８を越えて復路部５１に至る位置Ｐ５まで移動させることによってのみ行うことができる。
【００６５】
まず、図１０（ｄ）に示すように、挿し込みガイド孔７９を通してピン状のキー部材８０をスライダー移動部１４に挿入し、キー部材８０の先端をスライダー２０の被押し込み片２４の手前側面に当接させる。
【００６６】
そして、その状態から更にキー部材８０を用いてスライダー２０を押し込むと、カード状体２が共に移動し、押し込み限度位置でカード状体２の奥側縁部（当て止め部７５）が当て止め突部７４に当て止めされ、カード状体２の押し込み方向の移動が規制される。
【００６７】
このカード状体２と共にスライダー２０が連動限度位置Ｓ２に至るまでは、それに連動して規制ピン部３３が解除用誘導路部５４内を移動するが位置Ｐ４までしか移動できず、キー部材８０による押し込み力を解除すると、押出しバネ２５の付勢力によりスライダー２０がロック位置Ｓ３まで押し戻され、それに連動して規制ピン部３３もハートカムと係合する位置Ｐ３まで押し戻される。
【００６８】
一方、連動限度位置Ｓ２から更にキー部材８０によりスライダー２０を一定以上の力で押し込むと、図１０（ｆ）に示すように、ハーフロック片３１が凹部３２より外れ、スライダー２０のみがカード状体２より独立して離脱する。
【００６９】
そして、ロック解除位置Ｓ４までスライダー２０を押し込むと、それに連動して戻り傾斜部６２及び解除用戻り防止段部５８を越えて規制ピン部３３が復路部５１に落ち込み、ハートカム４２より離脱する位置Ｐ５に到達する。
【００７０】
これにより、スライダー２０の押し出し方向の移動規制が解除され、キー部材８０をハウジング４より引抜くと、スライダー２０は、押出しバネ２５により押し出し方向に付勢され、連動限度位置Ｓ２まで押し戻される。
【００７１】
そして、連動限度位置Ｓ２において、連動用係合片２６、連動係合部２２の手前側縁部がカードＡの奥側縁部及び切欠き部の手前側内縁にそれぞれ当接し、その状態から図１０（ｇ）に示すように、スライダー２０がカード状体２を押し出しつつ原点位置Ｓ１に復帰し、それに伴い規制ピン部３３も原点位置Ｐ１に復帰し、カード状体２がスライダー２０に押されてハウジング４より排出される。
【００７２】
尚、上述の実施例では、カード状体２の押し込み限度位置において、カード状体２の奥側部を当て止め部７５として、ハウジング４の奥部に配置された当て止め突部７４に当て止めされるようにした例について説明したが、当て止め部７５をカード状体２の前縁蓋体７１に形成するとともに、コネクタが搭載される電子機器の筐体に当て止め突部７４を設け、当て止め部７５が電子機器筐体に形成された当て止め突部７４に当て止めされることにより、カード状体押し込み限度位置より押し込み側への移動が規制されるようにしてもよい。
【００７３】
また、上述の実施例では、カード状体２をカードトレイとした例について説明したが、カード状体２はＩＣカードやフラッシュメモリーカー等のカードそのものであってもよい。
【００７４】
更に、上述の実施例では、ハートカム部４０をモールド体１０（ハウジング４）に設けた例について説明したが、スライダー２０を絶縁性合成樹脂材によって形成し、スライダー２０にハートカム部４０を設け、ロックピン２８の一端をハウジング４に回動可能に支持させるようにしてもよい。
【００７５】
更にまた、ハートカム４２及びピンガイド溝４１の形状及び向きは、上記実施例に限定されるものではなく、ロックピン２８、スライダー２０、ハートカム部４０及びハウジング４の位置関係により定まる。
【００７６】
また、ハウジング４には、検知スイッチ７８とは別に、操作側スイッチコンタクト及び被操作側スイッチコンタクトからなる取出し操作検知スイッチを備えるようにしてもよい。
【００７７】
その場合、ロック解除位置Ｓ４で操作側スイッチコンタクトがスライダー２０と接触し、それによって操作側スイッチコンタクトが被操作側スイッチコンタクトと接触又は離反することにより取出し操作検知スイッチがオン・オフ状態の切り替えがされるようにすることが好ましい。
【符号の説明】
【００７８】
Ａ  カード
Ｓ  スライダー位置
Ｐ  規制ピン部位置
１  カードコネクタ
２  カード状体
３  カード状体挿入部
４  ハウジング
５  コンタクト
１０  モールド体
１１  側壁板
１２  側溝部材
１３  シールドカバー
１４  スライダー移動部
２０  スライダー
２１  スライダー本体
２２  連動係合部
２３  ロックピン連結部
２４  被押し込み片
２５  押出しバネ
２６  連動用係合片
２７  挿通孔
２８  ロックピン
２９  回動軸部
３０  ガイド孔
３１  ハーフロック片
３２  ハーフロック用凹部
３３  規制ピン部
３４  押し下げバネ
４０  ハートカム部
４１  ピンガイド溝
４２  ハートカム
４３  バネ固定突部
４４  係合凹部
５０  往路部
５１  復路部
５２  押し込み動作許容部
５３  ロック用誘導路部
５４  解除用誘導路部
５５  併用路部
５６〜５９  戻り防止段部
６０  戻し傾斜部
６１  誘導段部
６２  戻し傾斜部
６３  誘導段部
７０  トレイ本体
７１  前縁蓋体
７２  接合部材
７３  カード収容部
７４  当て止め突部
７５  当て止め部
７６  係合切欠き部
７７  スイッチ接触用露出部
７８  検知用スイッチ
７９  差し込みガイド孔
８０  キー部材
【図１】
0005510681.tif 000002
【図２】
0005510681.tif 000003
【図３】
0005510681.tif 000004
【図４】
0005510681.tif 000005
【図５】
0005510681.tif 000006
【図６】
0005510681.tif 000007
【図７】
0005510681.tif 000008
【図８】
0005510681.tif 000009
【図９】
0005510681.tif 000010
【図１０】
0005510681.tif 000011